(57)【特許請求の範囲】
【請求項１】
外箱内に配された水槽内で、水平軸を中心に自在に回転し、かつ内部に洗濯物を収容する回転ドラムと、前記水槽内の水位を検知する水位センサを備え、のり付け工程と槽すすぎ工程から構成されるのり付けを行う専用コースを設けたドラム式洗濯機において、
前記のり付け工程中の脱水時間は、通常の洗濯運転の最終脱水時間より短くなるように制御し、
前記のり付け工程の後の前記槽すすぎ工程では、前記回転ドラムのタンブリング回転数を通常の洗濯運転、及びのり付け運転の回転数よりも高い１００〜２００ｒｐｍに設定し、かつ、給水により溜められた前記水槽内の水の水位を前記のり付け工程より低く設定することを特徴とする、ドラム式洗濯機。
【請求項２】
前記槽すすぎ工程は複数回のすすぎ運転から構成されることを特徴とする、請求項１に記載のドラム式洗濯機。
【請求項３】
前記槽すすぎ工程の最終すすぎの後に、脱水工程を付加したことを特徴とする、請求項１または請求項２に記載のドラム式洗濯機。
【請求項４】
前記のり付けコースを行う専用コースが選択された場合は、のり付けを行う専用コースが選択されたことを示す表示と槽すすぎの表示を行うとともに、槽すすぎの表示が点灯中は、他のコースの選択ができないように制御することを特徴とする、請求項１乃至請求項３のいずれか一つに記載のドラム式洗濯機。
【請求項５】
前記のり付け工程の運転がスタートした時点で、のり付け工程の運転が実施された情報を記憶し、電源キーを押して電源ＯＦＦにされても、再度電源キーが押された時点で槽すすぎの表示を行うことを特徴とする、請求項１乃至請求項４のいずれか一つに記載のドラム式洗濯機。
【請求項６】
前記運転経歴を記憶する記憶素子として不揮発性のメモリを設け、一旦通電が遮断された状態でも記憶が残るようにし、再度通電され、電源キーが操作された時点で槽すすぎの表示を行うことを特徴とする、請求項５記載のドラム式洗濯機。
【請求項７】
前記水槽内の水を循環させる循環ポンプを備え、のり付け工程中は水を循環させることを特徴とする、請求項１乃至請求項６のいずれか一つに記載のドラム式洗濯機。
【請求項８】
前記水槽内の水を循環させる循環ポンプを備え、前記槽すすぎ工程中は水を循環させることを特徴とする、請求項１乃至請求項７のいずれか一つに記載のドラム式洗濯機。
【請求項９】
前記水槽内の水を加熱するための洗濯用ヒータを備え、槽すすぎを温水で行えるようにしたことを特徴とする、請求項１乃至請求項８のいずれか一つに記載のドラム式洗濯機。
【請求項１０】
前記水槽内の水を加熱するための洗濯用ヒータを備え、槽すすぎを温水で行えるようにしたドラム式洗濯機において、前記槽すすぎ工程中は温水を洗剤ケースののりの投入口を経由して循環させることを特徴とする、請求項１乃至請求項９のいずれか一つに記載のドラム式洗濯機。
【発明の詳細な説明】
【０００１】
【発明の属する技術分野】
本発明は、衣類ののり付けを行う専用コースを設けたドラム式洗濯機、ドラム式乾燥洗濯機等のドラム式洗濯機に関するものである。
【０００２】
【従来の技術】
従来のこの種のドラム式洗濯機はドラムが水槽内で水平軸を中心に回転する構造となっており、洗いから脱水までを連続して行うことが出来る。
このドラム式洗濯機は、洗濯機本体の内側上端へ防振機構により懸架された水槽と、この水槽の内側で水平軸を中心に回転するように配されたドラムとの二重構造となっている。
【０００３】
そして、本体上部前端に操作・表示部分があり、この裏側に制御装置が取り付けられている。上記水槽は、洗濯液や脱水液を貯え、かつ、排出する機能を有している。また、上記ドラムはその周壁全体に洗濯時の給水、及び脱水時の排水を行うための多数の小孔、及び洗濯物を持ち上げるためのバッフルが設けられている。
【０００４】
そして、本体の正面には洗濯物を出し入れするためのドアが設けられており、このドアは水槽との間のドアパッキンにより密閉する構造となっている。上記ドラムは駆動モータにて回転させられるものであり、また、洗濯液等は排水ポンプにて機外に排出されるものである。そして、上記水槽と排水ポンプの間の配管経路に糸屑フィルタが設けられている。
【０００５】
そして、洗い工程においては、水槽内、及び、ドラムの下部に適当な洗剤濃度の洗濯水を入れ、このドラムをモータによって回転させる。上記ドラム内に入れてある衣類は洗濯水を吸収して持ち上げられて落下し、この落下時にたたき洗いされる。すすぎ工程も同様にドラムの回転により行われる。脱水はドラムを高速回転させ、その遠心力を利用して行われる。
【０００６】
【発明が解決しようとする課題】
上記のような構成の従来のドラム式洗濯機では、洗濯物の種類により標準コースやデリケートコース等複数のコースの中から、洗濯物に適したコースが選択できるようになっている。
【０００７】
しかしながら、家庭用の洗濯のりを用いてのり付けを行う専用のコースが設定されておらず、標準コースやデリケートコース等でのり付けを行うと、のり付けの効果が十分発揮できない、脱水が強すぎる等の問題があり、洗濯機でのり付けが上手にできないという問題があった。
【０００８】
また、のり付けを行った後に、残留したのりを除去する槽すすぎ運転も十分に行えず、長期間の使用中にのりが堆積し衣類への汚れの付着や故障の原因になる恐れがあった。
【０００９】
この点を考慮して、特開平４ー２０３８９号公報に記載のものでは、のり付け工程と槽すすぎ工程を組み合わせた専用コースが提案されているが、渦巻き式洗濯機を前提としたものであり、かつ槽すすぎの効果を上げるために水位を高くするだけで脱水等で飛び散ったのりの除去の確実性に課題を残している。
【００１０】
また、特開平４ー１０８４９４号公報に記載のものではのり付け工程は通常の洗濯時に比べ水位を高く設定する。槽すすぎ工程では水槽内に残水がある状態で脱水に入るという改善を加えているものの、のりの撹拌の問題や槽すすぎの確実性の確保の面で不十分な点を残している。
【００１１】
本発明は、上記従来の技術が有している課題を解決しようとするものであり、のり付け、及びのり付け後の槽すすぎの効果、確実性を高めたのり付けの専用コースを有するドラム式洗濯機の実現を図るものである。
【００１２】
【課題を解決するための手段】
本発明のドラム式洗濯機は上記のような課題を解決したもので、請求項１記載の発明は、外箱内に配された水槽内で、水平軸を中心に自在に回転し、かつ内部に洗濯物を収容する回転ドラムと、上記水槽内の水位を検知する水位センサを備え、のり付け工程と槽すすぎ工程から構成されるのり付けを行う専用コースを設けたドラム式洗濯機において、のり付け工程中の脱水時間は、通常の洗濯運転の最終脱水より短くなるように制御するものである。
【００１３】
また、請求項１記載の発明は、のり付け工程の後の槽すすぎ工程では回転ドラムのタンブリング回転数を通常の洗濯運転、及びのり付け運転の回転数よりも高い１００〜２００ｒｐｍに設定するものである。そして、請求項１記載の発明は、のり付け工程の後の槽すすぎ工程では給水により溜められた水槽内の水の水位をのり付け工程より低く設定するものである。
【００１４】
そしてまた、請求項２記載の発明は、請求項１に記載の発明において、槽すすぎ工程は複数回のすすぎ運転から構成されるものである。さらに、請求項３記載の発明は、請求項１または請求項２に記載の発明において、槽すすぎ工程の最終すすぎの後に、脱水工程を付加したものである。
【００１７】
また、請求項４記載の発明は、請求項１乃至請求項３のいずれか一つに記載の発明において、のり付けコースを行う専用コースが選択された場合は、のり付けを行う専用コースが選択されたことを示す表示と槽すすぎの表示を行うとともに、槽すすぎの表示が点灯中は、他のコースの選択ができないように制御するものである。
【００１８】
そして、請求項５記載の発明は、請求項１乃至請求項４のいずれか一つに記載の発明において、のり付け工程の運転がスタートした時点で、のり付け工程の運転が実施された情報を記憶し、電源キーを押して電源ＯＦＦにされても、再度電源キーが押された時点で槽すすぎの表示を行うものである。
【００１９】
そしてまた、請求項６記載の発明は、請求項５記載の発明において、運転経歴を記憶する記憶素子として不揮発性のメモリを設け、一旦通電が遮断された状態でも記憶が残るようにし、再度通電され、電源キーが操作された時点で槽すすぎの表示を行うものである。
【００２０】
さらに、請求項７記載の発明は、請求項１乃至請求項６のいずれか一つに記載の発明において、水槽内の水を循環させる循環ポンプを備え、のり付け工程中は水を循環させるものである。さらにまた、請求項８記載の発明は、請求項１乃至７のいずれか一つに記載の発明において、水槽内の水を循環させる循環ポンプを備え、槽すすぎ工程中は水を循環させるものである。
【００２１】
そして、請求項９記載の発明は、請求項１乃至請求項８のいずれか一つに記載の発明において、水槽内の水を加熱するための洗濯用ヒータを備え、槽すすぎを温水で行えるようにしたものである。そしてまた、請求項１０記載の発明は、請求項１乃至請求項９のいずれか一つに記載の発明において、水槽内の水を加熱するための洗濯用ヒータを備え、槽すすぎを温水で行えるようにしたドラム式洗濯機において、槽すすぎ工程中は温水を洗剤ケースののりの投入口を経由して循環させるものである。
【００２２】
本発明は上記構成にて、請求項１記載の発明は、通常の脱水に比べ脱水時間を短くするため、のり付けした衣類に十分なのりが残り良好なのり付け効果が得られる。また、衣類のしわも押さえられるため、乾燥後のアイロン掛けが容易になる。
【００２３】
また、請求項１記載の発明は、通常のタンブリング回転数よりも高い回転数でドラムを回転させるため、すすぎ水量を増加させなくとも、水槽内の水が水槽全体を循環するように行き渡る。特に、水槽上部の通常のタンブリングでは水の届かない部分まで洗浄でき、また配管の奥までも確実に洗浄することができる。
【００２４】
そして、請求項１記載の発明は、槽すすぎの使用水量を少なくすることにより、ドラム回転時の負荷量が少なくなり、モーターの消費電力を少なくすることができる。
【００２５】
そしてまた、請求項２記載の発明は、槽すすぎを複数回繰り返すことで、のりが槽すすぎ毎に希釈され、槽すすぎの効果が高められる。槽すすぎの水の少量の残水に含まれるのりの成分が殆ど除去でき、繰り返し使用しても、のりが堆積して行くという問題が解決できる。
【００２６】
そのうえ、請求項３記載の発明は、槽すすぎの最後に脱水を加えることで、槽すすぎ時に発生する泡、及びドラムの外周に付着した残留水を除去できる。
【００２７】
さらにまた、請求項４記載の発明は、のり付け工程がスタートし、水槽内にのりが投入されてからは他のコースが選択できなくなるため、のりが残った状態でのり付けが不要な他の衣類を洗濯しのりが付いてしまう、のり付けの後の槽すすぎを忘れる等の問題を防止することができる。
【００２８】
また、請求項５及び請求項６記載の発明は、のり付け工程の途中、のり付け工程の後で電源スイッチが切られた場合や停電等で電源が切られた場合でも、再度電源が入った時点で槽すすぎ工程を含むのり付けコースが最後迄終了していないことが分かるため、使用者に槽すすぎの実施を促すことができる。
【００２９】
そして、請求項７及び８記載の発明は、循環ポンプで水槽内の水を循環させるため、のりの撹拌効果が高まり、均一なのり付けができる。また、槽すすぎ時は循環用ホースの内部まで洗浄することが可能となる。
【００３０】
そしてまた、請求項９及び請求項１０記載の発明は、のりを規定の使用量より多く使用した場合、のり付け後、長時間槽すすぎを行わないで放置した場合等の通常ののり付け後に比べて除去しにくい残留したのりの洗浄効果が向上する。また、乾燥機能を付加した場合、誤ってのり付けの後に乾燥をしても、乾燥により水槽の内壁等にこびりついたのりの残留分を容易に除去することが可能となる。
【００３１】
【発明の実施の形態】
本発明のドラム式乾燥洗濯機は、第１の手段では、のり付け工程の後の脱水時間を短くし、衣類に付着したのりが除去されすぎて、のり付けの効果が低減するのを防止するものであり、第２の手段では、槽すすぎ工程では水槽内に水が入った状態で、ドラムのタンブリング回転数を上げ、すすぎ水が水槽全体を洗い流すことができるものであり、第３の手段では、のり付け工程の後の槽すすぎ工程では設定水位をのり付け工程より低く設定するものである。
【００３２】
また、第４の手段では、槽すすぎ工程を複数回のすすぎ運転で構成し、槽すすぎの効果を確実なものとしている。第５の手段では、槽すすぎ工程の最後に脱水工程を加え、ドラムに付着した水の除去やドアパッキン部分に残るのりの泡の除去を可能としている。
【００３３】
そして、第６乃至第８の手段では、のり付け工程が終了したことを知らせるための報知を槽すすぎ工程を開始するまで継続する、ブザー報知は間欠的にする等で、使用者に槽すすぎをする必要があることを知らしめるものであり、第９の手段では、槽すすぎの表示が行われている場合、即ちのり付け工程がスタートした後は他のコースが選択できないようにすることで、確実に使用者が槽すすぎを行うようにしている。
【００３４】
そしてまた、第１０、及び第１１の手段では、のり付け工程が終了、あるいは中断された状態で電源スイッチが押され、電源が切られた場合にも、再度電源が入れられた場合にのり付け後の槽すすぎが行われていないことを知らせ、使用者が槽すすぎを忘れることを防止する手段を与えるものであり、第１２、第１３の手段では、のり付け工程、槽すすぎ工程中に水槽内の水を循環させることで、のり付け効果の向上、及び槽すすぎ性能の向上を図るものである。
【００３５】
さらに、第１４、及び第１５の手段では水槽内、及びのりの投入口の洗浄を温水を用いて行うことで、のり付け後長時間放置された場合の取れにくいのりの残留分の除去の効果を高めるものである。
【００３６】
以下、本発明のドラム式乾燥洗濯機の実施の形態を図面と共に説明する。
本発明のドラム式洗濯機の図１、及び図２に示し、以下、主要な部分及び発明にかかわる部分を中心に説明を行う。
図１は本発明のドラム式洗濯機の内部構造を示す概略縦断正面図、図２は本発明のドラム式洗濯機の内部構造を示す概略縦断側面図である。
【００３７】
図１及び図２において、１は洗濯機本体、２は回転ドラム、３はバッフル、４は水槽、５は防振機構（つりバネ）、６はドア、７はドアパッキン、８はドラム駆動用のモータ、９は排水ポンプ、１０は糸屑フィルタである。１１は洗剤、漂白剤、のり等を投入するための洗剤ケースである。
【００３８】
１２は水槽内の水を循環させるための循環ポンプ、１３は循環ホース、１４は排水ホース、１５は水槽内の水位を検知するための水位センサ、１６は給水弁、１７は給水ホース、１８は水槽内の水を加熱するための洗濯用ヒータである。また、２１は操作・表示部、２２は制御装置である。
【００３９】
上記ドラム式洗濯機では、洗濯機本体１内に軸方向が短い、ほぼ円柱形状の回転ドラム２と水槽４とが設けられている。このドラム２は水平方向に回転軸が配設され、回転軸に沿った方向の１端部（回転軸は反対側端部）が開口する洗濯物の投入を行うためのドア６が配設されている。７はドアパッキンであり、ゴムなどの弾性体からなるシール材として内嵌されている。
【００４０】
従って、上記ドア６が閉じたときには、ドアの周縁部と投入口内周縁部とで上記シール材が挟圧されて、洗濯機本体１、及び、水槽４の水密が保持されるようになっている。なお、振動吸収のため、洗濯機本体１の上部から水槽４を防振機構５により懸架されており、これにより水槽４の振動を減衰させる構成となっている。
【００４１】
上記回転ドラム２は、洗濯物を収容して回転するものであって、ドラム２内には、中心軸に向けて突出する山脈状にバッフル３が形成される。水槽４は上記ドラム２を囲んで設けられ、洗濯水（洗剤、のり等を含む水、すすぎ水も含む）をためるものである。
【００４２】
この洗濯水は、水道につながる給水ホース１７を通り洗濯用給水弁１６からの水道の開閉を行うことにより水管路、洗剤ケース１１を介して水槽４内に供給される（詳しくは、一旦は洗剤ケースに入った後に、水管路を介して水槽４内に供給される）。
【００４３】
上記水槽４の底部には水槽４内の洗濯水を出す排水ダクトが設けられ、この排水ダクトは、排水された洗濯水に含まれる糸屑やゴミ等の挟雑物を除去するフィルタ１０につながり、フィルタ１０により糸屑やゴミ等は除去される。フィルターケース１０には、水槽４内の洗濯水を洗濯機外部に排水するための排水ポンプ９がつながれ、排水ホース１４を経て機外に排出される。
【００４４】
上記投入口の反対側端部に水平な回転軸が固定して設けられており、この回転軸にはドラムプーリが固定されている。水槽４の下端部にはドラム駆動用モータ８が設けられており、このモータ８の回転軸とドラムプーリをベルトで連結している。この水槽４、回転軸、ドラムプーリ、及び、ドラム駆動用モータ８等の部品は洗濯機本体１に収容されている。
【００４５】
また、上記洗濯機本体１の前面上部には、運転／停止スイッチ、及び、各種操作スイッチ等のパネル入力部、ならびに、表示ランプ等の表示部が設けられた操作パネル２１が配置される。この操作パネル２１の内側部には洗濯機の電気的制御を行う制御装置２２が配設され、操作パネル２１からの信号線が接続される。上記制御装置２２には、ドア６の開閉を検出するドアスイッチ、水槽４の水位を水圧で検出する水位センサ１５、及び、モータ８の回転を検出するタコメータの出力信号線が接続される。
【００４６】
図３は上記ドラム式洗濯機の制御装置２２の回路ブロック図である。
図３に示すように、制御装置２２は主に、電源部２９、表示部２１２、パネル入力部２１１、ドアスイッチ等の信号入力部１９、制御部２０、出力部２３、及び、負荷部２４から成る。
【００４７】
上記電源部２９は、コンセントプラグ２６から電源スイッチ２７を介して商用電源が入力されて、交流電源を変圧し、また、整流して制御用の直流電源を出力したクロックパルスを発振出力する。表示部２１２は、上記表示ランプの他、ブザーも含まれる。
【００４８】
上記制御部２０は、マイクロコンピュータ、及びメモリ２８から主になり洗濯機の動作に関する判断・指令を行うものであって、演算・記憶機能を有している。出力部２３は、制御部の指令にしたがってドライブ信号を出力するトライアックを含む半導体素子を有している。上記負荷部２４は、上記出力部のドライブ信号で作動し、排水ポンプ９、循環ポンプ１２、給水弁１６、洗濯用ヒータ１８、ドラム駆動用モータ８の作動リレーを有している。
【００４９】
また、図４の操作部・表示部の３１はのり付けのせんの専用コース等のコースを選択するためのキーであり、３２は当該キーが押された場合に点灯する表示であり、３３は残時間、及び選択された加熱温度を示すセグメント部である。３４は加熱温度を選択するためのキーであり、３５は進行表示であり、３６は槽すすぎを示す表示である。
【００５０】
以下、本発明のドラム式洗濯機の実施の形態の動作について説明する。
なお、基本的な洗いから乾燥に至る動作は従来のドラム式洗濯機とほぼ同様であり、その概要は次の通りである。
【００５１】
まず、洗い工程から脱水工程に至る運転の概略動作についてであるが、洗い工程はドラム２内に洗濯物を入れ、洗剤ケース１１に洗剤を入れて、電源を投入して、パネル入力部２１１にあるスタートキーを押すと、洗濯運転が開始される。この場合、ドア６がロックされたあと、洗濯用給水弁１６を開けて所定水位まで給水し、洗剤を溶かした洗濯液を上方から流し込んで洗濯物に含ませる。次にドラム２を低速回転させることにより洗いが行われる。
【００５２】
ドラム２内の洗濯物は、ドラム２の回転による遠心力とバッフル３とでドラム２内の頂上付近まで持ち上げられた後、自重により落下する（タンブリングという）。このタンブリングを繰り返すことにより、洗濯物は落下時の衝撃力でたたき洗いされる。すすぎは回転ドラム２を低速回転することにより行われる。
【００５３】
すすぎが終わると、ドラム２の回転は停止され、排水ポンプ９がＯＮして洗濯液を機外に排出する。洗濯、すすぎ工程を終了し、排水完了後、脱水工程に移り衣類のアンバランス修正を目的とした低速反転動作のアンバランス修正工程を行う。アンバランス修正工程終了後、衣類のアンバランス検知を目的とした低速回転のアンバランス検知工程を実施し、アンバランス検知レベル以下の場合は、ドラムの回転数を上げ、その時のドラムの回転による遠心力を利用して洗濯物をドラム２の周壁内面に押し付けるような形で脱水が行われる。
【００５４】
次に、本発明のドラム式洗濯機のポイントとなる動作を図５に示すフローチャートに従い説明する。
まず、電源スイッチが押されると選択出来るコース等の表示が点灯する。次に、本発明ののり付け専用のコースが選択され、洗濯されたのり付けコースの表示３２が点灯する。
【００５５】
そして、スタートキーが押されると、表示３２が点灯から点滅に変わり、残時間表示部３３が点灯し、給水弁１６が開いて給水が開始され、洗剤ケース１１を経由して、洗濯用のりと共に、水槽４に給水される。同時にのり付けコースの運転が開始された情報をメモリ２８に記憶する。
【００５６】
所定位置に達すると、給水弁１６が閉じ、循環ポンプ１２が運転を開始すると共にドラム２が回転を開始する。この時のドラム２の回転数は４５〜６０ｒｐｍ程度である。次に、のり付け工程の所定の時間が経過すると、ドラム２、循環ポンプ１２の運転が停止され、排水ポンプ９が動作して排水を行う。
【００５７】
水槽４内の水が所定水位まで排出されると、ドラム２が回転を始め、高速脱水を行う。ただし、脱水の最高速は通常の洗濯の場合と同様に設定されるが、最高速での脱水時間は短く設定される。脱水が完了すると、ブザー等でのり付け工程の終了を報知すると共に、ドアロックを解除し、のり付けされた衣類が取り出せるように待機する。この報知は槽すすぎを行うためにスタートキーが押されるまで継続することも可能であり、またフローチャートに示すように、所定時間経過した時点で停止させることも可能である。
【００５８】
再度、スタートキーが押されると、給水弁１６が開き給水が開始され、所定位置に達すると、給水弁１６が閉じて槽すすぎが開始される。のり付けの場合と同様に循環ポンプ１２、及びドラム２が動作し、槽すすぎが行われる。この時のドラム２の回転数は通常のタンブリング回転数よりも高く設定され、１００〜２００ｒｐｍ程度とするのが適当である。
【００５９】
ドラム２の回転数を上げることにより少ない水量でも、水槽４内の水が水槽４の上部にまで持ち上げられ、水槽内を十分洗浄すると共に、配管の奥まで水が流れ込み、水槽に接続された配管の中間で十分にすすぐことが可能となる。槽すすぎが終了すると、排水を行い、最後にドラム２を高速回転させて、ドラム２に付着した水の除去等を行う。
【００６０】
図６は具体的な制御の一例を示す運転チャートであり、のり付け工程から休止状態を経て、槽すすぎ工程に至る各付加の運転状況を整理している。
図６に示すように、のり付け工程でのドラム２のタンブリング回転数は５５ｒｐｍであり、８秒間回転、８秒間停止、８秒間反対方向に回転するという動作を繰り返して、のり付けを行う。
【００６１】
また、のり付けの後の脱水はアンバランスを検知するための回転数８５ｒｐｍを経て、４５０ｒｐｍ、９２０ｒｐｍ、１０００ｒｐｍにまでドラム２の回転数を上げて行う。ただし、１０００ｒｐｍでの回転時間は３０秒と短くし、のりの過度な除去、しわの低減を図っている。
【００６２】
槽すすぎではドラム２の回転数を２００ｒｐｍまで上げ、水槽４の洗浄性能の向上を図っている。また、最終脱水Ｂではドラム２の内部に衣類が入っていないことを前提としているため、ドラム２に付着した水等を除去するのに十分な８００ｒｐｍに回転数を制限し、省電力、騒音の低減を図っている。
【００６３】
【発明の効果】
本発明のドラム式洗濯機は上記のような構成であるから、請求項１記載の発明は、通常の脱水に比べ脱水時間を短くするため、のり付けした衣類に十分なのりが残り良好なのり付け効果が得られる。また、衣類のしわも押さえられるため、乾燥後のアイロン掛けが容易になる。
【００６４】
また、請求項１記載の発明は、通常のタンブリング回転数よりも高い回転数でドラムを回転させるため、すすぎ水量を増加させなくとも、水槽内の水が水槽全体を循環するように行き渡る。特に、水槽上部の通常のタンブリングでは水の届かない部分まで洗浄でき、また配管の奥までも確実に洗浄することができる。
【００６５】
そして、請求項１記載の発明は、槽すすぎ工程の使用水量を低減することができるとともに、ドラム回転駆動用モーターの負荷量を低減でき、モーターの小型化が図れる。
【００６６】
そしてまた、請求項２記載の発明は、槽すすぎを複数回繰り返すことで、のりが槽すすぎ毎に希釈され、槽すすぎの効果が高められる。槽すすぎの水の少量の残水に含まれるのりの成分が殆ど除去でき、繰り返し使用しても、のりが堆積して行くという問題が解決できる。
【００６７】
そのうえ、請求項３記載の発明は、槽すすぎの最後に脱水を加えることで、槽すすぎ時に発生する泡、及びドラムの外周に付着した残留水を除去できる。
【００６８】
さらにまた、請求項４記載の発明は、のり付け工程がスタートし、水槽内にのりが投入されてからは他のコースが選択できなくなるため、のりが残った状態でのり付けが不要な他の衣類を洗濯しのりが付いてしまう、のり付けの後の槽すすぎを忘れる等の問題を防止することができる。
【００６９】
また、請求項５及び請求項６記載の発明は、のり付け工程の途中、のり付け工程の後で電源スイッチが切られた場合や停電等で電源が切られた場合でも、再度電源が入った時点で槽すすぎ工程を含むのり付けコースが最後迄終了していないことが分かるため、使用者に槽すすぎの実施を促すことができる。
【００７０】
そして、請求項７及び８記載の発明は、循環ポンプで水槽内の水を循環させるため、のりの撹拌効果が高まり、均一なのり付けができる。また、槽すすぎ時は循環用ホースの内部まで洗浄することが可能となる。そしてまた、請求項９及び請求項１０記載の発明は、のりを規定の使用量より多く使用した場合、のり付け後、長時間槽すすぎを行わないで放置した場合等の通常ののり付け後に比べて除去しにくい残留したのりの洗浄効果が向上する。しかも、乾燥機能を付加した場合、誤ってのり付けの後に乾燥をしても、乾燥により水槽の内壁等にこびりついたのりの残留分を容易に除去することが可能となる。
【図面の簡単な説明】
【図１】本発明のドラム式洗濯機の内部構造を示す概略縦断正面図である。
【図２】本発明のドラム式洗濯機の内部構造を示す概略縦断側面図である。
【図３】本発明のドラム式洗濯機の制御装置のブロック図である。
【図４】本発明のドラム式洗濯機の表示・操作部の説明図である。
【図５】本発明のドラム式洗濯機の制御動作のフローチャートである。
【図６】図５の制御フローチャートに基づく運転を行った場合の運転状態を示すタイミングチャートである。
【符号の説明】
１  洗濯機本体
２  ドラム
３  バッフル
４  水槽
５  防振機構
６  ドア
７  ドアパッキン
８  駆動用モータ
９  排水ポンプ
１０  糸くずフィルタ
１１  洗剤ケース
１２  循環ポンプ
１３  循環ホース
１４  排水ホース
１５  水位センサ
１６  給水弁
１７  給水ホース
１８  洗濯用ヒータ
２１  操作部
２２  制御装置
３１  コース洗濯キー
３２  コース表示
３３  セグメント表示部
３４  加熱温度選択キー
３５  進行表示部
３６  槽すすぎ表示
【図１】
0003761662.tif 000002
【図２】
0003761662.tif 000003
【図３】
0003761662.tif 000004
【図４】
0003761662.tif 000005
【図５】
0003761662.tif 000006
【図６】
0003761662.tif 000007